(57)【要約】      （修正有）【課題】作業性と量産性を向上させる打上花火用外皮及び打上花火用飛翔体を提供する。【解決手段】打上花火用外皮は、厚紙の円筒体２と、複数の穴が形成され、円筒体２の内部に固定された厚紙の仕切部４と、を有し、円筒体２の内壁中間位置の領域に仕切部４を嵌合させて接着する構造である。円筒体２の上部外周全周囲に接着剤を塗布し、薄紙５を円筒形状に円筒体２に巻き付けて接着している。打上花火用外皮に火薬を充填し、薄紙５を捻ることで封緘し、飛翔体６とする。【選択図】図５
2015224843.tif 000002
【特許請求の範囲】
【請求項１】
厚紙の筒体と、
有孔の平面板と、該平面板の外周に立設される側面板と、を有し、前記側面板を前記筒体の内周面に固定することにより、前記筒体の内部領域を上部領域と下部領域とに分割する厚紙の仕切部と、
を有する打上花火用外皮。
【請求項２】
前記上部領域に花火火薬を装填し、該下部領域に打上火薬を装填した請求項１の打上花火用外皮。
【請求項３】
平面板と、該平面板の外周に立設される側面板と、を有し、前記側面板を前記筒体の内周面に固定することにより、前記筒体の上部領域を分割する厚紙の第２の仕切部を備えた請求項１又は２の打上花火用外皮。
【請求項４】
前記仕切部の孔を薄紙で被覆した請求項１の打上花火用外皮。
【請求項５】
請求項１乃至４の打上花火用外皮の円筒体の上部開口に封をした打上花火用飛翔体。
【発明の詳細な説明】
【技術分野】
【０００１】
本発明は、打上花火の火薬を包む部材に関し、特に、中低空の高度で打ち上げられるもので、観客からは、筒からいきなり火が出て、まるで花束のように見える花火（以下、花束花火という。）に適用される打上花火用外皮及び打上花火用飛翔体に関する。
【背景技術】
【０００２】
従来、花束花火は、火薬を球状体に充填し、これを打上筒内に置き、筒内底部の打上用火薬に点火することで、球状体に推進力を与えて、これを打ち上げていた。
【０００３】
従来の球状玉では、その上部の周囲に上方に延び出すように円筒の薄紙を貼り、開口から火薬を充填し、開口を閉鎖していたので、作業が面倒であった。花束のように見せる花火は非常に人気があるため、シーズン前に大量に用意をしておかなければならず、量産性が不十分である。特許文献１のような特殊な形状は量産が困難であるし、花束花火には不向きである。
【０００４】
そこで、特許文献２に記載の発明のような紙管の底に蓋を設けた発明がなされている。しかしながら、打ち上げの際に、筒内底に打上用火薬を置いてから、さらに、その上に、打上花火用外皮に花火火薬を充填した飛翔体を置かなければならず、作業性について未だ十分ではなかった。
【先行技術文献】
【特許文献】
【０００５】
【特許文献１】米国特許第７２７８３５５号公報
【特許文献２】実用新案登録第３１８４４９０号公報
【発明の概要】
【発明が解決しようとする課題】
【０００６】
そこで、本発明は、花束花火の打上の際の打ち上げ作業を効率化することを課題とする。
【課題を解決するための手段】
【０００７】
上記課題に鑑み、本願発明は、厚紙の筒体と、有孔の平面板と、該平面板の外周に立設される側面板と、を有し、前記側面板を前記筒体の内周面に固定することにより、前記筒体の内部領域を上部領域と下部領域とに分割する厚紙の仕切部と、を有する打上花火用外皮である筒体は丸筒、角筒等が例示できる。前記側面板の前記筒体の内周面への固定は、接着剤によることが好ましい。
【０００８】
前記上部領域に花火火薬を装填し、該下部領域に打上火薬を装填した打上花火用外皮であることが好ましい。
【０００９】
平面板と、該平面板の外周に立設される側面板と、を有し、前記側面板を前記筒体の内周面に固定することにより、前記筒体の上部領域を分割する厚紙の第２の仕切部を備えた打上花火用外皮であることが好ましい。
【００１０】
前記仕切部の孔を薄紙で被覆した打上花火用外皮であることが好ましい。薄紙に接着剤をつけなくても仕切部に固定可能とすることが好ましい。
【００１１】
前記打上花火用外皮の円筒体の上部開口に封をした打上花火用飛翔体であることが好ましい。
【００１２】
仕切部或いは第２の仕切部は、平面板（円板等）に側面板（短円筒等）が接続されたものであることが好ましい。厚紙をプレスで成形し、仕切部或いは第２の仕切部とすることが好ましい。
【００１３】
穴の個数は１個以上であればよく、適宜に設定できるが、３個乃至５個が好ましい。穴の形状は丸穴、角穴等が例示できる。
【００１４】
前記円筒体の上部にカバーを設けることが好ましい。このカバーは、円筒体の上部から花火火薬が出ないようにする封緘用のカバーである。前記円筒体の上部領域に火薬を充填し、カバーで封をすることが好ましい。筒体にカバーを取り付けてから花火火薬を充填してもよい。このカバーを接着したり、或いは、捻ったりすることで、封をすることが好ましい。カバーは、薄紙でも接着テープ（例えば、クラフトテープ等）等でも良い。薄紙の場合、例えば、和紙等が好ましく、予め筒体に接着しておき、上部領域に花火火薬を充填した後に、和紙を捻ったり、或いは、接着テープで和紙の封をする。前記に代えて、上部領域に花火火薬を充填した後、第２の仕切部の側面板を円筒体の内周面に接着剤で接着することで、封をしてもよい。下部領域には打上火薬を充填する。ビニール袋等で打上火薬を包装したものを充填することが好ましい。
【発明の効果】
【００１５】
請求項１〜５の発明により、打ち上げの際に、予め打上花火用外皮の上部領域に花火火薬、下部領域に打上火薬とを充填しておき、これを打上筒に投入するだけでよいので、打ち上げの作業性が著しく向上する効果がある。
【００１６】
請求項２の発明により、花火火薬と打上火薬とを容易に区画して充填でき、花火火薬及び打上火薬をともに筒体に内蔵するので、充填効率、作業効率が高くなる効果がある。
【００１７】
請求項３の発明により、筒体の内部において、第２の仕切部により花火火薬を筒体内部で上から封入できるので、花火火薬の漏れを防止できるとともにサイズがコンパクトになり、外観が向上する。仕切部、或いは、第２の仕切部の位置を変えることが容易であるので、火薬充填量を自在に制御でき、中低空での花束花火の演出の自由度が高くなる。
【００１８】
請求項４の発明により、細かい火薬でも打上花火用外皮から零れないようにすることができる。
【００１９】
請求項５の発明により、打上花火用外皮に花火火薬及び打上火薬を区画して充填し、円筒体の上部の外面或いは内面を封緘したので、打ち上げの作業の効率化が達成できる。
【図面の簡単な説明】
【００２０】
【図１】（ａ）（ｂ）は、本発明の一実施形態の打上花火用外皮の斜視図である。
【図２】本発明の一実施形態の打上花火用外皮の平面図である。
【図３】（ａ）は同じく打上花火用外皮の仕切部の斜視図、（ｂ）は比較例の火薬玉容器である。
【図４】本発明の別の実施形態の打上花火用外皮の分解斜視図である。
【図５】（ａ）（ｂ）（ｃ）は一実施形態の飛翔体の正面図である。
【図６】本発明の更に異なる別の実施形態の打上花火用外皮の分解斜視図である。
【図７】同じく打上筒に打上用火薬を収容し、飛翔体を載置した状態を示す断面図である。
【図８】（ａ）（ｂ）は複数の打上容器を固定した発射台の正面図である。
【発明を実施するための形態】
【００２１】
以下に、本発明の好適な一実施形態である打上花火用外皮１について、図１乃至図６を参照して説明する。
【００２２】
図１、図２に示す通り、打上花火用外皮１は、厚紙の円筒体２と、複数の穴３が形成され、円筒体２の内壁の中間部、例えば下部領域内部に固定された厚紙の仕切部４と、を有する。打上花火用外皮１は、無天井、無底の円筒形状である。製造工程は簡素であり、必要な強度を保った上で、非常に安価に生産できる。
【００２３】
図３（ａ）に示す円筒体２の直径は、１寸５分、２寸、２.２寸、２寸５分等の適宜のサイズである。花束花火に適合するサイズであれば寸法は限定されない。
【００２４】
図３（ｂ）に示す比較例の半球状容器１０１は、半球状体の紙容器に複数の穴をあけて、和紙（図示略）を上端部外周部に円筒形状に巻き付けたものである。この半球状容器１０１の和紙の開口から火薬を入れて和紙で封緘するものである。半球状容器１０１であるので、無理をして火薬を盛って詰めなければならず、火薬容量に限界がある。半球状容器１０１では、打上用火薬８の圧力が打上花火用外皮１全体にかからず花束花火の上がりが悪い。打上花火用外皮１は半球状容器１０１と比較して、単価を安くできる。打上花火用外皮１は、半球体を円筒体にしたので、火薬容量が増える効果がある。また、仕切部４が平らであり、花火火薬のみならず打上火薬をも充填できるので、打上作業を効率化できる。
【００２５】
穴３の個数は、３又は４が好ましいが、それらに限定されるわけではない。また、穴３の位置も図示に制限されず、適宜、設定可能である。
【００２６】
円筒体２の内壁の中間領域の所定の高さの位置に仕切部４を嵌合させて接着する構造である。仕切部４は、量産性を担保するため、厚紙の板紙をプレスで成形したもの、或いはこれを適宜に切断したものである。仕切部４は、図３に示す通り、平面板である円板４ａの円周縁部に、側面板である短円筒体４ｂが軸方向に連続し、仕切りとする蓋状体である。この仕切部４の短円筒体４ｂの外側面に接着剤（糊など）を塗布し、円筒体２の下部内周壁に仕切部４を内嵌することで、円筒体２に仕切部４を固定する。ここで短円筒体４ｂの主面は、円筒体２の軸方向と直交するように固定されている。
【００２７】
図４に示す通り、仕切部４の上層に薄紙４ｃを介装させてもよいし、或いは、介装させなくてもよい。薄紙４ｃに接着剤を付けてもよいが、薄紙４ｃには通気性があるので、これに接着剤を付けなくても、短円筒体４ｂの外側に塗布した接着剤が薄紙４ｃに浸透して接着できる。仕切部４の上下を逆にしてもよい。
【００２８】
このようにして、円筒体２に仕切部４を固定することで、図５に示す通り、円筒体２の内部が、上部領域２ａと下部領域２ｂとに分割される。ここでは上部領域２ａの方が容積が大きい。
【００２９】
図５（ａ）に示す通り、円筒体２の上部外周に薄紙５を接着している。ここでは、円筒体２の上部外周全周囲に接着剤を塗布し、薄紙５を円筒形状に円筒体２に巻き付けて接着している。
【００３０】
図５（ａ）に示す通り、飛翔体６は、打上花火用外皮１の上部領域２ａに花火火薬を充填し、薄紙５を捻ることで封緘し、また、下部領域２ｂに打上火薬８を装填したものである。
【００３１】
図５（ｂ）に示す通り、飛翔体６’は、カバー（又は薄紙）５’を円筒体２に接着テープにより接着し、花火火薬を充填してもよい。これにより、封緘作業が容易である。なお、封をせずに、火薬を単に充填するだけで、薄紙５，カバー５’がなくても使用可能である。打上花火用外皮１に花火火薬或いは打上火薬を充填する場合には、花火火薬或いは打上火薬をビニール袋に入れたものを打上花火用外皮１に詰めて飛翔体６’としても良い。注文に合わせて、各種の高さの打上花火用外皮１を用意しておけば、バラエティに富んだ演出が可能である。
【００３２】
図５（ｃ）、図６に示す通り、飛翔体６’’は、上部領域２ａに花火火薬を充填した後、第２の仕切部１０を円筒体２上方開口から嵌挿したものである。第２の仕切部１０は仕切部４を無穴としたものであり、円板１０ａの円周部に短円筒体１０ｂが軸方向に連続し仕切りとする蓋状体である。短円筒体１０ｂの外側面に接着剤を付けて、固定してもよい。これにより、上部領域２ａを、更に、容積が縮減された上部領域２ａ’と、スペース部２ｃとに分割できる。これにより、外部への花火火薬の漏れを確実に防止できる上、薄紙５やカバ―５’よりも固定作業が簡単になる。薄紙５やカバ―５’のような破損のおそれがない。さらに、外観がシンプルで美しくなる。なお、第２の仕切部１０の上下を逆にしてもよい。また、奥まで嵌挿したが、円筒体２の上部入口に差し込めば、作業が簡単になる。
【００３３】
図７に示す通り、打ち上げ準備が完了した状態では、打上筒２０の底に飛翔体６，６’，６’’を投入し、導火線９を打上筒２０の外部に引き出している。導火線９に点火すると、打上用火薬８が発火し、打上用火薬８の圧力で、飛翔体６，６’，６’’が打上筒２０から打ち上げられるとともに、穴３から上部領域２ａの充填した花火火薬に火が入り、上空で花火火薬が発火することで、花束の自由度が高くなる。なお、打上筒２０の底は湾曲面（例えば下凸等）となっている場合がある。
【００３４】
打上花火用外皮１が小さいものになってくると、図８（ａ）（ｂ）に示す通り、１本ではなく打上筒２０を、複数本、上面が扇状、又は、直面状の台３０の上に並べて固定する。本発明は安定性が高い。花火火薬と打上火薬を内蔵する飛翔体６，６’，６’’であるので、そのまま打上筒２０の中に装填することができる。斜めに入れる飛翔体６，６’，６’’は特に長いものが多い。長いものになればなるほど、打上花火用外皮１の構造の方が非常に装填しやすい。これにより、打上の作業性を高め、多種多様な花束花火の演出、大量の本数の演出により、観客に感動を与えることができる。
【００３５】
なお、本発明の実施の形態は、下記の実施形態に何ら限定されるものではなく、本発明の技術的思想を逸脱しない範囲において、改変等を加えることができるものであり、それらの改変、均等物等も本発明の技術的範囲に含まれ、技術的範囲に属する限り種々の形態を採り得ることは無論である。例えば、上記実施形態では、円筒体２は円筒形状であるが、角筒形状（例えば、四角形等）としてもよい。仕切部４或いは第２の仕切部１０は、円筒体２の内壁に、接着剤無しで、密嵌させてもよい。接着剤を塗布する手間が省ける。仕切部４或いは第２の仕切部１０の上下の位置は、図示のものに限定されず、適宜の位置が可能である。ただし、仕切部４は打上火薬を収納するので、円筒体２の底から最低限のスペースを空けて配置されるべきである。
【符号の説明】
【００３６】
１・・・打上花火用外皮
２・・・円筒体
２ａ，２ａ’・・・上部領域
２ｂ・・・下部領域
２ｃ・・・スペース部
３・・・穴
４・・・仕切部
４ａ・・・円板
４ｂ・・・短円筒体
４ｃ・・・薄紙
５・・・薄紙
５’・・・カバー
６，６’，６’’・・・飛翔体
７・・・袋
８・・・打上用火薬
９・・・導火線
１０・・・第２の仕切部
２０・・・打上筒
３０・・・台
１０１・・・半球状容器
【図１】
2015224843.tif 000003
【図２】
2015224843.tif 000004
【図３】
2015224843.tif 000005
【図４】
2015224843.tif 000006
【図５】
2015224843.tif 000007
【図６】
2015224843.tif 000008
【図７】
2015224843.tif 000009
【図８】
2015224843.tif 000010